(57)【要約】      （修正有）【課題】ネットワーク上の任意の記録装置に対しファイル転送して転送速度を測定することで、複数の録画モードにおける追いかけ再生の可否を表示する通信装置を提供する。【解決手段】記憶領域に格納されたファイルを登録部が登録した記録装置にネットワークを介し転送し記録して、記録開始から終了までの記録時間を測定し、次に、記録されたファイルを、記録装置から通信部を介して通信装置へと転送し、転送開始から終了までの転送時間を測定する測定部７３と、ファイルの容量を測定部が測定した記録時間で割ることで記録速度を求め、更に、ファイルの容量を測定部が測定した転送時間で割ることで再生速度を求め、これらの記録速度及び再生速度に基づいて、複数の録画モード毎に、記録装置が記録しながら再生する追いかけ再生の可否を表示する表示信号を生成する制御部とを有する通信装置。【選択図】図２
2006094403.tif 000002
【特許請求の範囲】
【請求項１】
ネットワークを介して外部の記録装置と通信を行う通信部と、
記録処理に用いる前記ネットワーク上の前記記録装置を登録する登録部と、
記憶領域に格納されたファイルを、前記登録部が登録した前記記録装置に前記通信部及びネットワークを介し転送し記録して、記録開始から終了までの記録時間を測定し、次に、前記記録されたファイルを、前記記録装置から前記通信部を介して前記通信装置へと転送し、転送開始から終了までの転送時間を測定する測定部と、
前記ファイルの容量を前記測定部が測定した前記記録時間で割ることで記録速度を求め、更に、前記ファイルの容量を前記測定部が測定した前記転送時間で割ることで再生速度を求め、これらの記録速度及び再生速度に基づいて、複数の録画モード毎に、前記記録装置が記録しながら再生する追いかけ再生の可否を表示する表示信号を生成する制御部と、
を具備することを特徴とする通信装置。
【請求項２】
放送信号を受けて選局し選局信号を出力するチューナ部と、
前記チューナ部からの選局信号を復調して、映像音声信号を出力する復調部と、
前記復調部からの映像音声信号を前記登録部で登録した前記外部の記録装置に前記通信部を介して送信するべく制御する制御部とを更に有することを特徴とする請求項１記載の通信装置。
【請求項３】
前記復調部からの映像音声信号及び前記制御部からの前記表示信号に応じた映像を表示する表示部を更に有することを特徴とする請求項１記載の通信装置。
【請求項４】
前記制御部が扱う複数の録画モードは、ＨＤ，ＳＤ，ＸＰ，ＳＰ，ＬＰ，ＥＰの少なくとも一つを含むことを特徴とする請求項１記載の通信装置。
【請求項５】
前記制御部が扱う複数の録画モードは、クイックメニュに表示されるＸＰ，ＳＰ，ＬＰ，ＥＰであることを特徴とする請求項１記載の通信装置。
【請求項６】
前記制御部の前記表示信号に応じた表示画面において、前記録画モードの一つでの記録ができないと判断したときは、その録画モードを示すアイコンの色を退色させることで、記録不能であることを示すことを特徴とする請求項１記載の通信装置。
【請求項７】
前記制御部の前記表示信号に応じた表示画面において、前記記録速度を前記録画モードのアイコンと一緒に表示することを特徴とする請求項１記載の通信装置。
【請求項８】
前記登録部は、前記ネットワーク上の複数の前記外部の記録装置を画面上に表示し、ユーザの操作に応じて、前記複数の外部の記録装置から一つの記録装置を特定することを特徴とする請求項１記載の通信装置。
【請求項９】
前記制御部は、前記録画モード毎の録画の可否と、前記再生モード毎の再生の可否とを同時に表示する表示信号を生成することを特徴とする請求項８記載の通信装置。
【請求項１０】
前記制御部の前記表示信号に応じた表示画面において、前記再生速度を前記再生モードのアイコンと一緒に表示することを特徴とする請求項８記載の通信装置。
【請求項１１】
ネットワーク上の記録処理に用いる記録装置を登録し、
記憶領域に格納されたファイルを、前記登録した前記記録装置に前記ネットワークを介して転送し記録して、記録開始から終了までの記録時間を測定し、次に、前記記録されたファイルを、前記記録装置から前記ネットワークを介して前記通信装置へと転送し、転送開始から終了までの転送時間を測定し、
前記ファイルの容量を前記測定した前記記録時間で割ることで記録速度を求め、更に、前記ファイルの容量を前記測定した前記転送時間で割ることで再生速度を求め、これらの記録速度及び再生速度に基づいて、複数の録画モード毎に、前記記録装置が記録しながら再生する追いかけ再生の可否を表示する表示信号を生成することを特徴とする通信方法。
【請求項１２】
放送信号を受けて選局し選局信号を出力し、
前記選局信号を復調して、映像音声信号を出力し、
前記映像音声信号を前記登録した前記記録装置に前記ネットワークを介して送信するべく制御することを特徴とする請求項１１記載の通信方法。
【請求項１３】
前記映像音声信号及び前記表示信号に応じた映像をテレビジョン放送受信機の表示部に表示することを特徴とする請求項１１記載の通信方法。
【請求項１４】
前記複数の録画モードは、ＨＤ，ＳＤ，ＸＰ，ＳＰ，ＬＰ，ＥＰの少なくとも一つを含むことを特徴とする請求項１１記載の通信方法。
【請求項１５】
前記複数の録画モードは、クイックメニュに表示されるＸＰ，ＳＰ，ＬＰ，ＥＰであることを特徴とする請求項１１記載の通信方法。
【請求項１６】
前記表示信号に応じた表示画面において、前記録画モードの一つでの記録ができないと判断したときは、その録画モードを示すアイコンの色を退色させることで、記録不能であることを示すことを特徴とする請求項１１記載の通信方法。
【請求項１７】
前記表示信号に応じた表示画面において、前記記録速度を前記録画モードのアイコンと一緒に表示することを特徴とする請求項１１記載の通信方法。
【請求項１８】
前記登録の際には、前記ネットワーク上の複数の記録装置を画面上に表示し、ユーザの操作に応じて、前記複数の記録装置から一つの記録装置を特定することを特徴とする請求項１１記載の通信方法。
【請求項１９】
前記録画モード毎の録画の可否と、前記再生モード毎の再生の可否とを同時に表示する表示信号を生成することを特徴とする請求項１８記載の通信方法。
【請求項２０】
前記表示信号に応じた表示画面において、前記再生速度を前記再生モードのアイコンと一緒に表示することを特徴とする請求項１８記載の通信方法。
【発明の詳細な説明】
【技術分野】
【０００１】
この発明は、ネットワーク機能をもつテレビジョン装置等の通信装置に関し、特に、ネットワーク上の記録装置に映像信号を記録しながら追いかけ再生する通信装置及び通信方法に関する。
【背景技術】
【０００２】
周知のように、近年では、テレビジョン放送のデジタル化が推進されている。例えば、日本国内においては、ＢＳ（Broadcasting Satellite）デジタル放送及び１１０度ＣＳ（Communication Satellite）デジタル放送等の衛星デジタル放送だけでなく、地上デジタル放送も開始されている。
【０００３】
そして、このようなデジタルテレビジョン放送を受信するデジタル放送受信装置にあっては、例えばＨＤＤ（Hard Disk Drive）のような大容量のデジタル記録機器を接続することにより、受信した番組をデジタル記録したり、記録した番組を再生したりすることが可能となっている。
【０００４】
このようなデジタル放送受信装置においては、映像や音声情報をデジタル信号で扱うことができるため、例えば、デジタルカメラで撮影されたデジタルデータを、メモリカードに記録された多数の写真を映像表示させる機能も併せ持っている。特許文献１には、メモリカードに記録された多数の写真から、ユーザが所望する画像ファイルを容易に選択して表示させることができる技術が開示されている。
【特許文献１】特開２００３−２９９００８号公報。
【発明の開示】
【発明が解決しようとする課題】
【０００５】
しかしながら、例えば、内蔵するチューナからのデジタル信号である映像音声信号を、例えばネットワークを介して、ネットワーク上のハードディスクレコーダ等に安定して送信し記録するための技術が開示されていない。特に、映像音声情報を提供するテレビジョン装置等の通信装置側からネットワーク上の各記録装置へ映像音声信号等を送信したときにどれくらいの速度で通信が可能であり、その結果、どのような録画モードにおいて、追いかけ再生が可能かどうかがわからないという問題がある。
【０００６】
本発明は、ネットワーク上の任意の記録装置に対しファイル転送して転送速度を測定することで、複数の録画モードにおける追いかけ再生の可否を表示する通信装置及び通信方法を提供することを目的とする。
【課題を解決するための手段】
【０００７】
本発明に係る通信装置は、ネットワークを介して外部の記録装置と通信を行う通信部と、記録処理に用いる前記ネットワーク上の前記記録装置を登録する登録部と、記憶領域に格納されたファイルを前記登録部が登録した前記記録装置に前記通信部及びネットワークを介し転送し記録して、記録開始から終了までの記録時間を測定する測定部と、前記ファイルの容量を前記測定部が測定した前記記録時間で割ることで記録速度を求め、この記録速度に応じて、前記記録装置が記録する際の複数の録画モード毎に記録の可否を表示する表示信号を生成する制御部とを具備することを特徴とする通信装置である。
【発明の効果】
【０００８】
上記した通信装置においては、ネットワーク上の任意の録画装置に対して、テレビジョン装置等の通信装置内の記憶領域に用意された転送用ファイルを転送し記録して、通信速度を測定するものである。そして、この測定結果に応じて、各録画モードでの録画処理の可否を判断し表示画面においてこれを表示することで、テレビ番組等の放送を実際に録画する以前に、通信状態や録画装置の機能等のトータルの能力において、予め録画可能な録画モードを知ることができる。これにより、ユーザは、与えられた通信環境が許す範囲内で希望に最も近い録画モードにおいて、録画処理や再生処理を行うことが可能となる。
【発明を実施するための最良の形態】
【０００９】
以下、この発明の実施の形態について図面を参照して詳細に説明する。
【００１０】
＜本発明に係る通信装置であるネットワーク機能を備えたテレビジョン装置＞
初めに、本発明に係る通信装置であるネットワーク機能を備えたテレビジョン装置の一例を図面を用いて以下に説明する。図２は、本発明の一実施形態に係るデジタルテレビジョン放送受信装置の構成の一例を示すブロック図、図３は、本発明の一実施形態に係るデジタルテレビジョン放送受信装置のリモートコントローラの一例を示すブロック図である。
【００１１】
すなわち、デジタルテレビジョン放送受信装置１１は、主として、薄型のキャビネット１２と、このキャビネット１２を起立させて支持する支持台１３とから構成されている。そして、キャビネット１２には、例えば液晶表示パネル等でなる平面パネル型の映像表示器１４、スピーカ１５、操作部１６、リモートコントローラ１７から送信される操作情報を受ける受光部１８等が設置されている。
【００１２】
又、このデジタルテレビジョン放送受信装置１１には、例えばＳＤ（Secure Digital）メモリカード、ＭＭＣ（Multimedia Card）及びメモリスティック等のメモリカード、又、更に、例えば契約情報等の記録されたメモリカード（ＩＣカード）等のメモリカード１９が着脱可能となっている。これらのメモリカード１９に対して番組や写真等の情報の記録再生が行なわれたり、情報の記録再生が行なわれるようになっている。
【００１３】
又、このデジタルテレビジョン放送受信装置１１は、第１のＬＡＮ（Local Area Network）端子２１、第２のＬＡＮ端子２２、ＵＳＢ（Universal Serial Bus）端子２３及びｉ．Link端子２４を備えている。
【００１４】
このうち、第１のＬＡＮ端子２１は、ＬＡＮ対応ＨＤＤ専用ポートとして使用されるもので、接続されたＮＡＳ（Network Attached Storage）であるＬＡＮ対応のＨＤＤ２５に対して、イーサネット（登録商標）により情報の記録再生を行なうために使用される。
【００１５】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことができる。
【００１６】
又、第２のＬＡＮ端子２２は、イーサネット（登録商標）を用いた一般的なＬＡＮ対応ポートとして使用されるもので、例えばハブ２６を介して、ＬＡＮ対応のＨＤＤ２７、ＰＣ（Personal Computer）２８、ＨＤＤ内蔵のＤＶＤ（Digital Versatile Disk）レコーダ２９等の機器を接続し、これらの機器と情報伝送を行なうために使用される。
【００１７】
なお、ＤＶＤレコーダ２９については、第２のＬＡＮ端子２２を介して通信されるデジタル情報が制御系のみの情報であるため、デジタルテレビジョン放送受信装置１１との間でアナログの映像及び音声情報を伝送するために、専用のアナログ伝送路３０を設ける必要がある。
【００１８】
更に、この第２のＬＡＮ端子２２は、ハブ２６に接続されたブロードバンドルータ３１を介して、例えばインターネット等のネットワーク３２に接続し、そのネットワーク３２を介してＰＣ３３や携帯電話３４等と情報伝送を行なうために使用される。
【００１９】
又、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等のＵＳＢ機器を接続し、これらのＵＳＢ機器と情報伝送を行なうために使用される。
【００２０】
更に、上記ｉ．Link端子２４は、例えばＡＶ−ＨＤＤ４１、Ｄ（Digital）−ＶＨＳ（Video Home System）４２等をシリアル接続し、これらの機器と情報伝送を行なうために使用される。
【００２１】
図２は、上記したデジタルテレビジョン放送受信装置１１の主要な信号処理系を示している。すなわち、ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００２２】
そして、このチューナ４５で選局された放送信号は、ＰＳＫ（Phase Shift Keying）復調器４６に供給されて、デジタルの映像信号及び音声信号に復調された後、信号処理部４７に出力される。
【００２３】
又、地上波放送受信用のアンテナ４８で受信した地上デジタルテレビジョン放送信号は、入力端子４９を介して地上デジタル放送用のチューナ５０に供給されることにより、所望のチャンネルの放送信号が選局される。
【００２４】
そして、このチューナ５０で選局された放送信号は、ＯＦＤＭ（Orthogonal Frequency Division Multiplexing）復調器５１に供給されて、デジタルの映像信号及び音声信号に復調された後、上記信号処理部４７に出力される。
【００２５】
又、上記地上波放送受信用のアンテナ４８で受信した地上アナログテレビジョン放送信号は、入力端子４９を介して地上アナログ放送用のチューナ５２に供給されることにより、所望のチャンネルの放送信号が選局される。そして、このチューナ５２で選局された放送信号は、アナログ復調器５３に供給されてアナログの映像信号及び音声信号に復調された後、上記信号処理部４７に出力される。
【００２６】
ここで、上記信号処理部４７は、ＰＳＫ復調器４６及びＯＦＤＭ復調器５１からそれぞれ供給されたデジタルの映像信号及び音声信号に対して、選択的に所定のデジタル信号処理を施し、グラフィック処理部５４及び音声処理部５５に出力している。
【００２７】
更に、グラフィック処理部５４は、信号処理部４７から供給されるデジタルの映像信号に、ＯＳＤ（On Screen Display）信号生成部５７で生成されるＯＳＤ信号を重畳して出力する機能を有する。このグラフィック処理部５４は、信号処理部４７の出力映像信号と、ＯＳＤ信号生成部５７の出力ＯＳＤ信号とを選択的に出力すること、又、両出力をそれぞれ画面の半分を構成するように組み合わせて出力することができる。
【００２８】
そして、グラフィック処理部５４から出力されたデジタルの映像信号は、映像処理部５８に供給される。この映像処理部５８は、入力されたデジタルの映像信号を、上記映像表示器１４で表示可能なフォーマットのアナログ映像信号に変換した後、映像表示器１４に出力して映像表示させるとともに、出力端子５９を介して外部に導出させる。
【００２９】
又、上記音声処理部５５は、入力されたデジタルの音声信号を、上記スピーカ１５で再生可能なフォーマットのアナログ音声信号に変換した後、スピーカ１５に出力して音声再生させるとともに、出力端子６０を介して外部に導出させる。
【００３０】
ここで、このデジタルテレビジョン放送受信装置１１は、上記した各種の受信動作を含むその全ての動作を制御部６１によって統括的に制御されている。この制御部６１は、ＣＰＵ（Central Processing Unit）等を内蔵しており、上記操作部１６からの操作情報を受け、又は、リモートコントローラ１７から送出された操作情報を上記受光部１８を介して受信し、その操作内容が反映されるように各部をそれぞれ制御している。
【００３１】
この場合、制御部６１は、主として、そのＣＰＵが実行する制御プログラムを格納したＲＯＭ（Read Only Memory）６２と、該ＣＰＵに作業エリアを提供するＲＡＭ（Random Access Memory）６３と、各種の設定情報及び制御情報等が格納される不揮発性メモリ６４とを利用している。
【００３２】
又、この制御部６１は、カードＩ／Ｆ（Interface）６５を介して、上記メモリカード１９が装着可能なカードホルダ６６に接続されている。これによって、制御部６１は、カードホルダ６６に装着されたメモリカード１９と、カードＩ／Ｆ６５を介して情報伝送を行なうことができる。更に、上記制御部６１は、図示しないカードＩ／Ｆとカードホルダとを介して、図示しない第２のメモリカードが装着可能に接続されている。これにより、制御部６１は、第２のメモリカードと情報伝送を行なうことができる。
【００３３】
又、上記制御部６１は、通信Ｉ／Ｆ６９を介して第１のＬＡＮ端子２１に接続されている。これにより、制御部６１は、第１のＬＡＮ端子２１に接続されたＬＡＮ対応のＨＤＤ２５と、通信Ｉ／Ｆ６９を介して情報伝送を行なうことができる。この場合、制御部６１は、ＤＨＣＰ（Dynamic Host Configuration Protocol）サーバ機能を有し、第１のＬＡＮ端子２１に接続されたＬＡＮ対応のＨＤＤ２５にＩＰ（Internet Protocol）アドレスを割り当てて制御している。
【００３４】
更に、上記制御部６１は、通信Ｉ／Ｆ７０を介して第２のＬＡＮ端子２２に接続されている。これにより、制御部６１は、第２のＬＡＮ端子２２に接続された各機器（図１参照）と、通信Ｉ／Ｆ７０を介して情報伝送を行なうことができる。
【００３５】
又、上記制御部６１は、ＵＳＢ Ｉ／Ｆ７１を介して上記ＵＳＢ端子２３に接続されている。これにより、制御部６１は、ＵＳＢ端子２３に接続された各機器（図１参照）と、ＵＳＢ Ｉ／Ｆ７１を介して情報伝送を行なうことができる。
【００３６】
更に、上記制御部６１は、ｉ．Link Ｉ／Ｆ７２を介してｉ．Link端子２４に接続されている。これにより、制御部６１は、ｉ．Link端子２４に接続された各機器（図１参照）と、ｉ．Link Ｉ／Ｆ７２を介して情報伝送を行なうことができる。
【００３７】
更に、上記制御部６１は、ネットワーク上の記録再生処理を行う記録再生機器を登録する登録部８０と、任意の記録再生装置にファイルを記録させる記録速度を測定する測定制御部８１とを有しており、後に詳細に説明する測定処理を行うものである。
【００３８】
図３は、上記リモートコントローラ１７の外観を示している。このリモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、faceネット（ナビゲーション）キー１７ｊ、戻るキー１７ｋ、終了キー１７ｌ、青，赤，緑，黄のカラーキー１７ｍ、チャンネルアップダウンキー１７ｎ、音量調整キー１７ｏ、メニューキー１７ｐ等が設けられている。
【００３９】
＜追いかけ再生のための記録速度及び再生速度の測定処理＞
次に、このような構成を有する通信装置であるデジタルテレビジョン放送受信装置１１の、追いかけ再生のための記録速度及び再生速度の測定処理について、図面を用いて以下に詳細に説明する。図４は、本発明の一実施形態に係るデジタルテレビジョン放送受信装置の測定処理の一例を示すフローチャート、図５は、本発明の一実施形態に係るデジタルテレビジョン放送受信装置のクイックメニュの一例を示す表示画面の一例を示す図、図６は、本発明の一実施形態に係るデジタルテレビジョン放送受信装置の追いかけ再生可能な録画モードを示す表示画面の一例を示す図、図７は、本発明の一実施形態に係るデジタルテレビジョン放送受信装置の追いかけ再生可能な録画モード及び再生可能な再生モードを示す表示画面の一例を示す図、図８は、本発明の一実施形態に係るデジタルテレビジョン放送受信装置の録画装置を特定するための表示画面の一例を示す説明図である。
【００４０】
初めに、図４のフローチャートに示すように、このデジタルテレビジョン放送受信装置１１において、制御部６１の登録部８０により、ネットワーク上の録画用の機器を登録する（Ｓ１１）。すなわち、デフォルトにより自動的に、例えば、ネットワーク上の登録番号が一番若い録画機能を有する機器に決定する等の方法があるが、ユーザの操作によりマニュアルで決定することも可能である。
【００４１】
この際、図８に示すように、デジタルテレビジョン放送受信装置１１の映像表示部１４に、放送受信装置１１を中心としたネットワーク図を表示し、例えば、リモートコントローラ１７のページ切換キー１７ｉ等を用いて、画面中のネットワーク上の記録装置２９を特定することも好適である。この際、特定された記録装置２９のアイコンは他の記録装置等のアイコンと色彩や輪郭線を異ならせ、特定されたことが視覚的にわかるように表示することが好適である。
【００４２】
このような登録画面１４’上で、『測定スタート』アイコン９１が選択されてリターンされるか、又は、予め制御部６１で設定されているタイミングになると、測定が開始される（Ｓ１２）。このタイミングとは、例えば、ネットワークの構成が変化したタイミングであるとか、一週間に１回等の設定した日時の経過に応じて、タイミングが与えられることが好適である。
【００４３】
測定がスタートすると、測定制御部８１に内蔵されるプログラム等の働きにより、測定制御部８１等の記憶領域に格納された任意のテストファイルを読み出し、先に登録されたネットワーク上の記録装置（例えば、図１のＤＶＤレコーダ２９の内蔵するハードディスクドライブ等の記憶領域）へ転送して記録を開始すると共に、計時を開始する（Ｓ１３）。そして、テストファイルの記録装置への記録が完了すれば（Ｓ１４）、計時を終了して記録時間を求める（Ｓ１５）。その後、測定制御部８１の働きにより、例えば、（ファイルサイズ）÷（記録時間）により、記録速度を求める（Ｓ１６）。
【００４４】
更に、このネットワーク上の記録装置に記録されたファイルを受信装置１１に転送させて、所要時間を測定する（Ｓ１７）。同様に、（ファイルサイズ）÷（転送時間）により、転送速度を求める（Ｓ１８）。この転送速度は、記録装置で映像音声信号を再生する際の再生速度となる。すなわち、高画質モードの映像音声信号を再生した場合に、容量が大きすぎるため、ネットワークや通信装置のトータルの転送能力が追いつかず、再生不能となる場合が考えられる。このため、転送速度が許容する範囲内での録画モード（再生モード）のみが可能となるものである。
【００４５】
従って、上述した方法から求めた記録速度と転送速度とに基づき、各録画モードでの追いかけ再生の可否の判断を行い、併せて、録画処理及び再生処理の可否の判断を行う（Ｓ１９）。なお、記録再生装置においてどのような録画モード等が存在し、それぞれのモードでの追いかけ再生がどの程度の記録速度、転送速度を要求するかの情報は、記録再生装置２９からデジタルテレビジョン放送受信装置１１へ情報信号としてネットワークを介して提供されることが好適であるが、これに限るものではない。
【００４６】
その後、録画中にリモートコントロール１７の操作等により、クイックメニュの表示が促された際に、図５に示すような各操作アイコン８１乃至８８を示すクイックメニュを表示し、この画面において、先の判断に応じて、追いかけ再生が可能かどうかが、アイコン８２の表示に応じて表示される。すなわち、退色して示されたアイコン８１，８３，８８は、現在は行うことができないことを示しており、アイコン８２は、現在の録画で使用されている録画モードでの追いかけ再生が可能であることを示している。
【００４７】
又、更に、図８に示すネットワーク図を表示した画面上の『測定スタート』アイコン９１の操作を経た測定の後に、図６に示すように、例えば、再生速度を伴って、現在の速度での追いかけ再生処理が可能な録画モードを示すことが好適である。
【００４８】
又、更に、図７に示すように、追いかけ再生処理については、初めから、ＨＤ，ＳＤの選択肢を表示せずに、ＸＰ，ＳＰ，ＬＰ，ＥＰのみの録画モードを示すことも好適である。又、同時に、録画モードに応じた追いかけ再生処理の表示以外に、同時に、通常の録画モードでの録画処理の可否の判断結果を表示することも好適である。又、更に、図示しないが、この画面で追いかけ再生だけではなく、各録画モードでの通常の再生処理の可否についても、同様に表示することが好適である。
【００４９】
ここで、録画が可能な録画モードについて明るく色表示し、録画ができない録画モードについては、アイコンの色を退色させる等の、視覚的な判別ができるような表示とすることが好適である。又、ここで、図５に示すように、録画時に可能な転送速度を録画速度や再生速度を、例えば、１５．３Ｍｂｐｓ等のように具体的に画面上に表示することも好適である。
【００５０】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００５１】
【図１】本発明の一実施形態に係るデジタルテレビジョン放送受信装置とこれを中心に構成されるネットワークシステムの一例を概略的に説明する説明図。
【図２】本発明の一実施形態に係るデジタルテレビジョン放送受信装置の構成の一例を示すブロック図。
【図３】本発明の一実施形態に係るデジタルテレビジョン放送受信装置のリモートコントローラの一例を示すブロック図。
【図４】本発明の一実施形態に係るデジタルテレビジョン放送受信装置の測定処理の一例を示すフローチャート。
【図５】本発明の一実施形態に係るデジタルテレビジョン放送受信装置のクイックメニュの一例を示す表示画面の一例を示す図。
【図６】本発明の一実施形態に係るデジタルテレビジョン放送受信装置の追いかけ再生可能な録画モードを示す表示画面の一例を示す図。
【図７】本発明の一実施形態に係るデジタルテレビジョン放送受信装置の追いかけ再生可能な録画モード及び再生可能な再生モードを示す表示画面の一例を示す図。
【図８】本発明の一実施形態に係るデジタルテレビジョン放送受信装置の録画装置を特定するための表示画面の一例を示す説明図。
【符号の説明】
【００５２】
１１…デジタルテレビジョン放送受信装置、１２…キャビネット、１３…支持台、１４…映像表示器、１５…スピーカ、１６…操作部、１７…リモートコントローラ、１８…受光部、１９…メモリカード、２１…第１のＬＡＮ端子、２２…第２のＬＡＮ端子、２３…ＵＳＢ端子、２４…ｉ．Link端子、２５…ＨＤＤ、２６…ハブ、２７…ＨＤＤ、２８…ＰＣ、２９…ＤＶＤレコーダ、３０…アナログ伝送路、３１…ブロードバンドルータ、３２…ネットワーク、３３…ＰＣ、３４…携帯電話、３５…ハブ、３６…携帯電話、３７…デジタルカメラ、３８…カードリーダ／ライタ、３９…ＨＤＤ、４０…キーボード、４１…ＡＶ−ＨＤＤ、４２…Ｄ−ＶＨＳ、４３…アンテナ、４４…入力端子、４５…チューナ、４６…ＰＳＫ復調器、４７…信号処理部、４８…アンテナ、４９…入力端子、５０…チューナ、５１…ＯＦＤＭ復調器、５２…チューナ、５３…アナログ復調器、５４…グラフィック処理部、５５…音声処理部、５７…ＯＳＤ信号生成部、５８…映像処理部、５９…出力端子、６０…出力端子、６１…制御部、６２…ＲＯＭ、６３…ＲＡＭ、６４…不揮発性メモリ、６５…カードＩ／Ｆ、６６…カードホルダ、６７…カードＩ／Ｆ、６８…カードホルダ、６９…通信Ｉ／Ｆ、７０…通信Ｉ／Ｆ、７１…ＵＳＢ Ｉ／Ｆ、７２…ｉ．Link Ｉ／Ｆ、８１…測定制御部。
【図１】
2006094403.tif 000003
【図２】
2006094403.tif 000004
【図３】
2006094403.tif 000005
【図４】
2006094403.tif 000006
【図５】
2006094403.tif 000007
【図６】
2006094403.tif 000008
【図７】
2006094403.tif 000009
【図８】
2006094403.tif 000010